(57)【要約】【課題】天面の高さおよび広さが変更可能であり、天面の高さを変更したとしても、脚の傷がユーザーの目につきにくい机を提供すること。【解決手段】机１は、縦長姿勢と横長姿勢との間で姿勢変更可能な左右一対の脚３と、縦長姿勢および横長姿勢のいずれでも一対の脚３に対して固定可能な天板２と、拡張位置と非拡張位置との一方に選択的に配置可能な拡張天板６とを備える。一対の脚３は、脚３の前面および上面が入れ替わるように各脚３が回転されると共に、脚３の外側面が外側に位置するように一対の脚３が左右に入れ替えられることにより、縦長姿勢と横長姿勢との間で姿勢変更される。【選択図】図６
2016150051.tif 000002
【特許請求の範囲】
【請求項１】
側面視で長方形状であり、側面視で上下方向に長い縦長姿勢と、側面視で前後方向に長い横長姿勢との間で姿勢変更可能な左右一対の脚と、
平面視で四角形状であり、縦長姿勢および横長姿勢のいずれでも一対の脚に対して固定可能な天板と、
天板に連なるように水平な姿勢で天板に対して固定される拡張位置と、天板から離れた非拡張位置との一方に選択的に配置可能な拡張天板とを備え、
一対の脚は、脚の前面および上面が入れ替わるように各脚が回転されると共に、脚の外側面が外側に位置するように一対の脚が左右に入れ替えられることにより、縦長姿勢と横長姿勢との間で姿勢変更される、机。
【請求項２】
拡張天板は、拡張位置で天板に連結されるものであり、脚が縦長姿勢および横長姿勢のいずれでも拡張位置に配置可能である、請求項１に記載の机。
【発明の詳細な説明】
【技術分野】
【０００１】
この発明は、天面（作業面）の高さおよび広さが変更可能な机に関する。
【背景技術】
【０００２】
特許文献１には、脚体の姿勢を変更することにより天板の高さを変更できるテーブルが開示されている。同様に、特許文献２には、脚箱の姿勢を変更することにより天板の高さを変更できるテーブルが開示されている。
特許文献３には、天板を支えるボックスの姿勢を変更することにより天板の高さを変更でき、蝶番で連結された２枚の平板からなる天板を畳んだり広げたりすることにより天板の広さを変更できる多用途組合せ自在家具が開示されている。
【先行技術文献】
【特許文献】
【０００３】
【特許文献１】実開昭６２−１６４８３８公報
【特許文献２】特開２００４−１６４５０号公報
【特許文献３】実開昭５７−９５８４４公報
【発明の概要】
【発明が解決しようとする課題】
【０００４】
特許文献１および特許文献２には、脚の姿勢変更によって天板の高さを変更することは開示されているが、天面の広さを変更することについては開示されていない。特許文献３には、天面の高さおよび広さを変更することが開示されているが、脚の底面に発生しうる傷については考慮されていない。
すなわち、机やテーブルなどの家具は、移動の際に脚の底面が床に接した状態で引きずられることがある。そのため、脚の底面は、他の部分に比べて傷がつきやすい。特許文献３では、脚に相当するボックスの姿勢を変更することにより天板の高さを変更する。この場合、ボックスの底面（脚の底面）が前にくると、底面の傷がユーザーの目につきやすい。特許文献１〜特許文献３のいずれも、このような点については考慮されていない。また、特許文献１の天板は、ボックスの上に置かれているだけであり、ボックスに対して固定されていない。
【０００５】
そこで、本発明の目的の一つは、天面の高さおよび広さが変更可能であり、天面の高さを変更したとしても、脚の傷がユーザーの目につきにくい机を提供することである。
【課題を解決するための手段】
【０００６】
請求項１記載の発明は、側面視で長方形状であり、側面視で上下方向に長い縦長姿勢と、側面視で前後方向に長い横長姿勢との間で姿勢変更可能な左右一対の脚と、平面視で四角形状（正方形状または長方形状）であり、縦長姿勢および横長姿勢のいずれでも一対の脚に対して固定可能な天板と、天板に連なるように水平な姿勢で天板に対して固定される拡張位置と、天板から離れた非拡張位置との一方に選択的に配置可能な拡張天板とを備え、一対の脚は、脚の前面および上面が入れ替わるように各脚が回転されると共に、脚の外側面が外側に位置するように一対の脚が左右に入れ替えられることにより、縦長姿勢と横長姿勢との間で姿勢変更される、机である。
【０００７】
請求項２記載の発明は、拡張天板は、拡張位置で天板に連結されるものであり、脚が縦長姿勢および横長姿勢のいずれでも拡張位置に配置可能である、請求項１に記載の机である。
【発明の効果】
【０００８】
この発明によれば、側面視で長方形状の脚を姿勢変更することにより天面の高さを変更でき、拡張天板を使用することにより天面を拡張することできる。さらに、天面の高さを変更するときは、脚の前面および上面が入れ替えられるので、脚の底面が前にくることはない。そのため、脚の底面の傷がユーザーの目につきにくい。しかも、脚の外側面が外側に位置するように一対の脚を左右に入れ替えるので、脚の内側面の傷がユーザーの目につきにくい。
【図面の簡単な説明】
【０００９】
【図１】本発明の一実施形態に係る机の斜視図である。
【図２】机の左側面図である。
【図３】脚が横長姿勢であり、拡張天板が拡張位置に配置される前の、机の平面図である。
【図４】天板と拡張天板とを連結する連結金具の一例を示す鉛直断面図である。
【図５】天板と拡張天板とを連結する連結金具の他の例を示す鉛直断面図である。
【図６】天面の高さおよび奥行きを変更するときの手順の一例について説明するための模式図である。
【発明を実施するための形態】
【００１０】
以下では、本発明の実施の形態を、添付図面を参照して詳細に説明する。
図１（ａ）および図２（ａ）は、脚３が縦長姿勢であり、拡張天板６が非拡張位置にあるときの机１を示しており、図１（ｂ）および図２（ｂ）は、脚３が横長姿勢であり、拡張天板６が拡張位置にあるときの机１を示している。図３は、脚３が横長姿勢であり、拡張天板６が拡張位置に配置される前の机１を示している。
【００１１】
図１に示すように、机１は、天面の高さおよび奥行きが変更可能な木製の机である。机１は、左右方向に間隔を空けて配置された一対の脚３と、一対の脚３によって水平な姿勢で支持された天板２とを含む。机１は、さらに、天板２の下に配置された２つの引出し４と、鉛直な姿勢で一対の脚３に架け渡された横板５と、天面の奥行きを拡張する際に使用される拡張天板６とを含む。
【００１２】
天板２は、平面視で左右方向に延びる長方形状である。天板２の右端部および左端部は、それぞれ、右側の脚３と左側の脚３とによって支持されている。脚３の前面と天板２の前面とは、同一の鉛直面に配置されている。左右方向に並んだ２つの引出し４は、一対の脚３の間で天板２の下面に沿って配置されている。一対の脚３は、側面視で上下方向に長い縦長姿勢と、側面視で前後方向に長い横長姿勢との間で姿勢変更可能である。天板２は、脚３がいずれの姿勢のときも、椅子に座ったユーザーの膝より上方に配置される。
【００１３】
図６に示すように、２つの引出し４は、天板２に固定された固定枠７を介して、前後方向にスライド可能に天板２に保持されている。固定枠７は、天板２の下に配置されている。固定枠７は、天板２の右端および左端よりも内側に配置された右側面７Ｒおよび左側面７Ｌと、天板２の後端よりも前方に配置された背面７Ｂとを含む。２つの引出し４は、固定枠７の右側面７Ｒおよび左側面７Ｌの間に配置されている。固定枠７の右側面７Ｒおよび左側面７Ｌは、一対の脚３の間に配置されている。各脚３の上端部は、複数のボルトＢによって固定枠７に固定されている。
【００１４】
右側の脚３と左側の脚３とは、左右対称である。つまり、一方の脚３は、他方の脚３を左右に反転させた形状を有している。図２に示すように、脚３は、側面視で長方形状の外枠９と、側面視で外枠９の内側の空間に配置された２枚の補強板８とを含む。外枠９は、長さが等しく互いに平行な２つの長辺１０と、長さが等しく互いに平行な２つの短辺１１とを含む。長辺１０は、側面視で、短辺１１に直交する方向に延びている。長辺１０は、天板２の奥行きよりも長い。短辺１１は、天板２の前端から固定枠７の背面７Ｂ（図３参照）までの前後方向の距離よりも長い。
【００１５】
図２（ａ）は、縦長姿勢の脚３を示しており、図２（ｂ）は、横長姿勢の脚３を示している。２つの長辺１０は、脚３が縦長姿勢のときに前側に配置される表側長辺１０ｆと、脚３が縦長姿勢のときに後側に配置される裏側長辺１０ｒとを含む。２つの短辺１１は、脚３が横長姿勢のときに前側に配置される表側短辺１１ｆと、脚３が横長姿勢のときに裏側に配置される裏側短辺１１ｒとを含む。脚３が縦長姿勢のとき、表側長辺１０ｆは、前脚３ｆに相当し、裏側長辺１０ｒは、後脚３ｒに相当する。脚３が横長姿勢のとき、表側短辺１１ｆは、前脚３ｆに相当し、裏側短辺１１ｒは、後脚３ｒに相当する。
【００１６】
２枚の補強板８は、外枠９に固定されている。２枚の補強板８は、互いに直交する姿勢で外枠９の表側長辺１０ｆおよび表側短辺１１ｆに沿って配置されている。２枚の補強板８は、表側長辺１０ｆから裏側長辺１０ｒに延びる第１補強板８ａと、第１補強板８ａから裏側短辺１１ｒに延びる第２補強板８ｂとを含む。２枚の補強板８には、天板２と脚３とを固定するボルトＢが挿入される３つのボルト挿入孔１２が形成されている。さらに、２枚の補強板８には、コンセントボックス１３を脚３に固定するボルトＢが挿入される２つのボルト挿入孔１４と、荷物が掛けられるフック１５を脚３に固定するボルトＢが挿入される２つのボルト挿入孔１６とが形成されている。
【００１７】
３つのボルト挿入孔１２は、いずれも、脚３を左右方向に貫通している。３つのボルト挿入孔１２は、脚３が縦長姿勢のときに使用される縦長専用孔１２ａと、脚３が横長姿勢のときに使用される横長専用孔１２ｂと、脚３が縦長姿勢および横長姿勢のいずれのときも使用される共通孔１２ｃとを含む。共通孔１２ｃと縦長専用孔１２ａとは、脚３の短辺１１に平行な方向に並んでおり、共通孔１２ｃと横長専用孔１２ｂとは、脚３の長辺１０に平行な方向に並んでいる。共通孔１２ｃから縦長専用孔１２ａまでの距離と、共通孔１２ｃから横長専用孔１２ｂまでの距離とは、互いに等しい。縦長専用孔１２ａと横長専用孔１２ｂとは、共通孔１２ｃを中心に９０度回転対称な位置関係にある。
【００１８】
図６に示すように、脚３が縦長姿勢のときは、共通孔１２ｃと縦長専用孔１２ａとが、固定枠７の側方に配置される。このとき、２本のボルトＢの雄ねじが、外側から共通孔１２ｃと縦長専用孔１２ａとに挿入され、固定枠７に埋め込まれた２つのナットＮの雌ねじに取り付けられる。これにより、縦長姿勢の脚３が、固定枠７に連結され、天板２に対して固定される。
【００１９】
一方、脚３が横長姿勢のときは、共通孔１２ｃと横長専用孔１２ｂとが、固定枠７の側方に配置される。このとき、２本のボルトＢの雄ねじが、外側から共通孔１２ｃと横長専用孔１２ｂとに挿入され、固定枠７に埋め込まれた２つのナットＮの雌ねじに取り付けられる。これにより、横長姿勢の脚３が、固定枠７に連結され、天板２に対して固定される。
【００２０】
図２に示すように、コンセントボックス１３用の２つのボルト挿入孔１４は、脚３が縦長姿勢のときに使用される縦長用ボルト挿入孔１４ａと、脚３が横長姿勢のときに使用される横長用ボルト挿入孔１４ｂとを含む。同様に、フック１５用の２つのボルト挿入孔１６は、脚３が縦長姿勢のときに使用される縦長用ボルト挿入孔１６ａと、脚３が横長姿勢のときに使用される横長用ボルト挿入孔１６ｂとを含む。縦長用ボルト挿入孔１６ａは、脚３が縦長姿勢のときに、縦長用ボルト挿入孔１４ａよりも下方に位置する。同様に、横長用ボルト挿入孔１６ｂは、脚３が横長姿勢のときに、横長用ボルト挿入孔１４ｂよりも下方に位置する。
【００２１】
図１に示すように、横板５は、左右２つの後脚３ｒの間に配置されている。横板５は、後述する連結ピン２２および回転金具２３（図５および図６参照）によって、一対の脚３のそれぞれに着脱可能に連結されている。これにより、一対の脚３の連結強度をさらに高めることができ、机１の安定性を高めることができる。脚３が縦長姿勢のとき、横板５は、２つの裏側長辺１０ｒの下部に連結される。脚３が横長姿勢のとき、横板５は、２つの裏側短辺１１ｒの下部に連結される。したがって、横板５は、脚３がいずれの姿勢のときでも、机１の奥側の下部に配置される。
【００２２】
図３に示すように、拡張天板６は、天板２と同様に、平面視で左右方向に延びる長方形状である。拡張天板６の幅は、天板２の幅と等しく、拡張天板６の厚みは、天板２の厚みに等しい。拡張天板６の奥行きは、天板２の奥行きよりも短い。拡張天板６は、ユーザーの選択によって、天面の奥行きが拡張される拡張位置と、天面の奥行きが拡張されない非拡張位置との一方に配置される。
【００２３】
図２（ｂ）に示すように、拡張位置は、天板２の後方の位置である。拡張位置では、拡張天板６の上面および天板２の上面が同一の水平面に配置され、拡張天板６の上面が天板２の上面に連なる。また、このとき、拡張天板６の右側面および左側面が、それぞれ、天板２の右側面および左側面に揃う。拡張天板６は、後述する連結金具によって天板２に連結され、拡張位置に保持される。連結金具は、一対の脚３の間の位置で拡張天板６を天板２に連結するので、脚３が縦長姿勢であっても、拡張天板６を拡張位置に保持可能である（図２（ａ）において二点鎖線で示す拡張天板６を参照）。
【００２４】
図４に示すように、拡張天板６を拡張位置に保持する連結金具は、天板２および拡張天板６の下に配置される固定ブラケット２１と、固定ブラケット２１を下から貫通して天板２および拡張天板６に埋め込まれた複数のナットＮの雌ねじに取り付けられる複数のボルトＢとを含む。図５に示すように、連結金具は、さらに、天板２にねじ止めされ拡張天板６に挿入される連結ピン２２と、拡張天板６に対する連結ピン２２の挿入部分を拡張天板６に固定する回転金具２３とを含む。連結ピン２２および回転金具２３の構造は、特開２００７−５６９５７号公報に記載の連結金具と同様である。
【００２５】
図２（ａ）に示すように、非拡張位置（実線の拡張天板６の位置）は、天板２から下方に離れた位置である。非拡張位置では、拡張天板６が一対の脚３の後方に位置し、拡張天板６の右端部および左端部が、それぞれ、右側の脚３と左側の脚３とに重なる。拡張天板６を非拡張位置に保持するときは、脚３の後脚３ｒを前後方向に貫通する貫通孔にボルトＢの雄ねじが前方から挿入され、拡張天板６に埋め込まれたナットＮの雌ねじに取り付けられる。これにより、拡張天板６が、左右の脚３のそれぞれに連結され、非拡張位置に保持される。非拡張位置では、拡張天板６が鉛直な姿勢で保持されるため、平面視での拡張天板６の専有面積が抑えられる。
【００２６】
図６は、天面の高さおよび奥行きを変更するときの手順の一例について説明するための模式図である。図６では、脚３等を簡略化していると共に、コンセントボックス１３およびフック１５等の図示を省略している。
以下では、机１の上面（天面）を低くすると共に、天面を広げるときの手順の一例について説明する。天面を高くすると共に、天面を狭めるときの手順については、前記一例と同様であるので、その説明を省略する。
【００２７】
天面を低くし、天面を広げる場合、縦長姿勢の一対の脚３を天板２から取り外す。さらに、横板５および拡張天板６を一対の脚３から取り外す。必要に応じて、コンセントボックス１３およびフック１５を脚３から取り外す。その後、脚３ｒの上面が後側に位置するように、脚３を後方に９０度回転させる。これにより、回転前の脚３の上面が後側に移動し、回転前の脚３の前面が上側に移動する。そのため、脚３の姿勢が縦長姿勢から横長姿勢に切り替わる。
【００２８】
次に、脚３を鉛直線まわりに１８０度回転させ、前後に反転させる。これにより、９０度回転前の脚３の上面が前側に移動する。このとき、９０度回転前の脚３の前面が上側に位置しているので、９０度回転と１８０度回転とにより、９０度回転前の脚３の前面および上面が入れ替わる。脚３が１８０度回転した後は、脚３の外側面が内側に向いている。そのため、脚３の外側面が外側に向くように一対の脚３を左右に入れ替える。これにより、脚３の外側面が外側に向いたまま、脚３の前面および上面が入れ替えられる。
【００２９】
脚３の左右入れ替えを行った後は、横板５の両端部を連結金具によって横長姿勢の一対の脚３に連結する。さらに、天板２をボルトＢによって横長姿勢の一対の脚３に連結する。これにより、天板２の高さが減少する。その後、拡張天板６を天板２の後の位置（拡張位置）に配置し、連結金具等によって天板２に連結する。これにより、天面の奥行きが拡張天板６の分だけ後方に拡張される。また、コンセントボックス１３およびフック１５を取り外した場合は、右または左の脚３にこれらを取り付ける。これにより、机１の組み換えが完了する。
【００３０】
以上のように本実施形態では、側面視で長方形状の脚３を姿勢変更することにより天板２の高さを変更でき、拡張天板６を使用することにより天面の奥行きを拡張することできる。さらに、図２において二点鎖線で示すように、脚３が縦長姿勢のときでも拡張天板６を拡張位置に配置して天板２に固定できるので、脚３が縦長姿勢のときでも天面の奥行きを拡張できる。そのため、机１の利便性が高い。
【００３１】
さらに、天板２の高さを変更するときは、脚３の前面および上面が入れ替えられるので、傷が発生しやすい脚３の底面が前にくることはない。したがって、脚３の底面の傷がユーザーの目につきにくい。同様に、脚３の外側面が外側に位置するように一対の脚３を左右に入れ替えるので、脚３の内側面の傷がユーザーの目につきにくい。さらに、脚３の前面および上面が底面にくることがないので、傷の発生防止対策をこれらの面に必要以上に施さなくてもよい。
【００３２】
本発明の実施形態の説明は以上であるが、本発明は、前述の実施形態の内容に限定されるものではなく、本発明の範囲内において種々の変更が可能である。
たとえば、脚３は、側面視でロ字状ではなく、４つの辺（２つの長辺１０および２つの短辺１１）の内側に空間のない板状であってもよい。
拡張天板６は、天板２に加えてもしくは天板２の代わりに、拡張位置で一対の脚３に連結されてもよい。
【００３３】
拡張天板６の拡張位置は、天板２の側方の位置であってもよい。すなわち、机１の天面が幅方向（左右方向）に拡張されてもよい。
拡張天板６の非拡張位置は、脚３および横板５の後の位置ではなく、横板５の前の位置であってもよい。
机１は、複数枚の拡張天板６を備えていてもよいし、金属製であってもよい。
【符号の説明】
【００３４】
１      ：机
２      ：天板
３      ：脚
４      ：引出し
５      ：横板
６      ：拡張天板
７      ：固定枠
９      ：外枠
８      ：補強板
１０ｆ  ：表側長辺
１０ｒ  ：裏側長辺
１１ｆ  ：表側短辺
１１ｒ  ：裏側短辺
１２    ：ボルト挿入孔
１２ａ  ：縦長専用孔
１２ｂ  ：横長専用孔
１２ｃ  ：共通孔
【図１】
2016150051.tif 000003
【図２】
2016150051.tif 000004
【図３】
2016150051.tif 000005
【図４】
2016150051.tif 000006
【図５】
2016150051.tif 000007
【図６】
2016150051.tif 000008